(57)【要約】      （修正有）【課題】装飾体のサイズにかかわらず、この装飾体を付け爪等に確実に固定する爪用装飾具を提供する。【解決手段】装飾体１に形成したねじ部２を、付け爪３に形成した貫通孔４に挿し込み、この付け爪３の裏側からナット５をこのねじ部２に設けてこれを締め付け、この装飾体１を付け爪３に固定する。このため、例えばこの装飾体１が宝石であっても、宝石のパビリオンのサイズにかかわらず、付け爪３等に確実に固定することができる。また、このナット５の座面の頂点には、面取り加工を施した面取り部が形成されている。このため、このナット５を締め付けた際に、この面取り部と付け爪３等が接触せず、この付け爪３の傷付きが防止される。【選択図】図１
0003149577.tif 000002
【実用新案登録請求の範囲】
【請求項１】
装飾体（１）のねじ部（２）を付け爪（３）又は使用者の爪（６）に形成した貫通孔（４）に挿し込み、この付け爪（３）又は爪（６）の裏側からナット（５）を前記ねじ部（２）に設けてこれを締め付け、この装飾体（１）を付け爪（３）又は爪（６）に固定するようにした爪用装飾具。
【請求項２】
前記ナット（５）の座面の頂点に面取り加工を施した面取り部（７）を形成し、このナット（５）を締め付ける際に、前記面取り部（７）と、付け爪（３）又は爪（６）とが接触するのを防止した請求項１に記載の爪用装飾具。
【請求項３】
前記ナット（５）の前記座面の頂点を結ぶ稜線に面取り加工を施した面取り部（７）を形成し、このナット（５）を締め付ける際に、この面取り部（７）と、付け爪（３）又は爪（６）とが接触するのを防止したことを特徴とする請求項１又は２に記載の爪用装飾具。
【考案の詳細な説明】
【技術分野】
【０００１】
この考案は、付け爪又は使用者の爪に固定してこの付け爪等を装飾するための装飾具に関する。
【背景技術】
【０００２】
爪用装飾具は、宝石等を設けた装飾体を付け爪又は使用者の爪に固定し、この付け爪等を装飾するためのものである。
【０００３】
この装飾体を固定する方法として、図１０に示すように、付け爪３に装飾体１の底部形状に合わせた窪み１２を形成し、装飾体１をその窪み１２に固定するのが一般的である。例えば、その装飾体１が宝石の場合、この宝石の底部にはその輝きを増すためのパビリオン１３が所定角度に突出して形成されており、このパビリオン１３を窪み１２に嵌め込んで接着剤で固定する。
【考案の概要】
【考案が解決しようとする課題】
【０００４】
このパビリオン１３は、宝石のサイズに比例して大きくなる一方で、付け爪３の厚みｔは高々１〜２ｍｍ程度であって、この厚みｔ以上の深い窪み１２を形成することができない。すなわち、固定することのできる宝石の最大サイズが、付け爪３の厚みｔによって決まり、装飾デザインの自由度が制限されるという問題がある。
【０００５】
そこで、この考案は、装飾体のサイズにかかわらず、この装飾体を付け爪等に確実に固定することを課題とする。
【課題を解決するための手段】
【０００６】
上記の課題を解決するため、この考案は、装飾体のねじ部を付け爪又は使用者の爪に形成した貫通孔に挿し込み、この付け爪又は爪の裏側からナットを前記ねじ部に設けてこれを締め付け、この装飾体を付け爪又は爪に固定するように爪用装飾具を構成した。
【０００７】
この構成においては、例えば装飾体として宝石を付け爪に固定する場合、この宝石のパビリオンの端部にねじ部を形成し、このねじ部を貫通孔に挿し込む。すなわち、このパビリオン自体を付け爪に嵌め込むのではないため、このパビリオン（宝石）のサイズによらず、付け爪に固定することができる。
また、装飾体をねじ止めすることにより、付け爪への装飾体の着脱を容易に行うことができ、使用者の好みに応じて、この付け爪と装飾体の組み合わせを自在に変更することが可能となる。
【０００８】
前記構成においては、前記ナットの座面の頂点に面取り加工を施した面取り部を形成し、このナットを締め付ける際に、前記面取り部と、付け爪又は爪とが接触しないようにすることもできる。
【０００９】
このナットは、一般的に四角形、六角形等の多角形形状をしており、その多角形の頂点が角張っていることが多い。その一方、付け爪や爪は、特にその幅方向において、ナット側に湾曲した形状をしている。このため、このナットを締め付けると、その頂点が付け爪等の裏側へ食い込んだ状態となりやすい。そこで、このように面取り部を形成することで、この食い込みが生じにくくなるため、付け爪等への傷付きが防止できる。
【００１０】
なお、市販のナットにも前記頂点に面取り加工を施したものがあるが、その面取り加工の作用は、本考案に係る面取り加工の作用と全く異なる。すなわち、市販のナットの面取り加工は、このナットに、ナットを回すためのソケット等の工具を嵌め込む際に、その工具の先端をスムーズに案内して、その嵌め込みを容易にするためのものであって、本考案における傷付き防止のための面取り加工とはその作用が全く異なる。
【００１１】
また、前記各構成においては、前記ナットの前記座面の頂点を結ぶ稜線に面取り加工を施した面取り部を形成し、このナットを締め付ける際に、この面取り部と、付け爪又は爪とが接触しないようにすることもできる。
【００１２】
このナットの締め付けの際に付け爪等と最も強く接触する恐れがあるのは頂点であるが、稜線も同様に接触して、付け爪等の傷付きの原因となる恐れがある。そこで、この稜線に面取り部を形成することで、この傷付きを低減することができる。この面取り部を頂点と稜線の両方に形成することによって、この傷付き防止の効果が一層高まる。
【考案の効果】
【００１３】
この考案によると、装飾体にねじ部を形成して、ナットで付け爪等に固定するようにしたので、この装飾体がパビリオンを形成した宝石であっても、このパビリオン（宝石）の大きさにかかわらず前記固定をなし得る。このため、使用者の好みに合うように、幅広いデザイン設計を行うことができる。
【図面の簡単な説明】
【００１４】
【図１】この考案に係る装飾具の一実施形態を示す正面部分断面図
【図２】同実施形態の斜視図
【図３】同実施形態の分解斜視図
【図４】同実施形態に係る装飾具を指先に固定した状態を示す側面部分断面図
【図５】同装飾具を構成するナットの一例を示し、（ａ）は斜視図、（ｂ）は平面図、（ｃ）は側面図
【図６】ナットを回転させる回転工具を示し、（ａ）は斜視図、（ｂ）は側面図
【図７】ナットを回転工具で回す様子を示す正面部分断面図
【図８】一実施形態に係る装飾具を爪先に直接固定した状態を示す側面部分断面図
【図９】同装飾具を構成するナットの他例を示し、（ａ）は斜視図、（ｂ）は平面図、（ｃ）は側面図
【図１０】従来技術に係る装飾具の一実施形態の要部を示す正面部分断面図
【考案を実施するための形態】
【００１５】
この考案に係る装飾具を図面を用いて説明する。
この装飾具は、図１乃至３に示すように、装飾体１に形成したねじ部２を、付け爪３に形成した貫通孔４に挿し込み、この付け爪３の裏側からナット５をこのねじ部２に設けてこれを締め付け、この装飾体１を付け爪３に固定するものである。この装飾体１を固定した付け爪３は、図４に示すように、使用者の爪６にネイルグルー等の接着剤によって固定される。
【００１６】
この装飾体１を固定するナット５は、図５に示すように四角形形状をしており、このナット５の座面の４つの頂点には、面取り加工を施した面取り部７が形成されている。この面取り加工によって、このナット５を締め付ける際に、この面取り部７と付け爪３の裏面とが接触することなく、この付け爪３の傷付きを防止できる。この面取り部７の大きさは、付け爪３との接触を回避し得る範囲で適宜決定することができる。
【００１７】
このナット５は市販の工具でも回すことができるが、図６及び７に示すように、ナット５の形状に合わせて作製した専用の回転工具８を用いるのが好適である。この回転工具８の先端は、四角形形状のナット５がちょうど嵌る枡形のナット回転部９となっているとともに、後端には回転工具８を回転させるためのつまみ１０が設けられている。また、紛失防止のために、紐等を結ぶことができるリング１１が設けられている。
【００１８】
この装飾具は、図８に示すように、使用者の爪６に貫通孔４を形成し、この爪６に直接固定することもできる。この場合、付け爪３を使用する場合と異なり、装飾具の使用に際して接着剤を使用しないので安全性が高い。このため、例えば化学物質に過敏な使用者でも、問題なくこの装飾具の装着を楽しむことができる。
【００１９】
また、このナット５は図９に示すように、各頂点を結ぶ稜線にも面取り部７を形成する構成としてもよい。このように稜線にも面取り部７を形成することによって、このナット５を締め付ける際に、この面取り部７と付け爪３又は爪６の裏面とが接触しないため、この付け爪３等の傷付きが防止できる。この面取り部７の大きさも、頂点の面取り部７と同様に、付け爪３等との接触を回避し得る範囲で適宜決定することができる。
【００２０】
上記の各実施形態においては、四角形形状のナット５を用いたが、この形状はこれに限定されることはなく、六角形形状等の他形状のナット５も適宜採用することができる。
【００２１】
また、面取り部７は、ナット５の一方の面だけでなく両面に形成してもよい。このようにすると、爪６等の傷付き防止作用を発揮するとともに、このナット５に回転工具８を嵌め込みやすくなり、この装飾具の脱着作業を容易に行うことができるからである。
【００２２】
上記各実施形態においては、頂点等に面取り部７を形成しないナット５も使用することができる。この場合でも、装飾体１を付け爪３等に固定する作用を問題なく発揮するからである。
【００２３】
また、装飾体１の形状は、当然ながら任意に選択し得るものであって、上記実施形態に限定されるものではない。
【符号の説明】
【００２４】
１  装飾体
２  ねじ部
３  付け爪
４  貫通孔
５  ナット
６  爪
７  面取り部
８  回転工具
９  ナット回転部
１０  つまみ
１１  リング
１２  窪み
１３  パビリオン
【図１】
0003149577.tif 000003
【図２】
0003149577.tif 000004
【図３】
0003149577.tif 000005
【図４】
0003149577.tif 000006
【図５】
0003149577.tif 000007
【図６】
0003149577.tif 000008
【図７】
0003149577.tif 000009
【図８】
0003149577.tif 000010
【図９】
0003149577.tif 000011
【図１０】
0003149577.tif 000012